(57)【特許請求の範囲】
【請求項１】
開口部に開閉可能に取り付けられる戸体の戸当たりとして適用される枠ユニットであって、
縦方向に延び、閉鎖位置の前記戸体の戸先に見込方向で対面する第１戸当たりと、
縦方向に延び、前記第１戸当たりに対向配置され、前記戸体の戸先と反対側の部分に見込方向で対面する第２戸当たりと、
見付方向の一側の端部が前記第１戸当たりに当接するとともに他側の端部が前記第２戸当たりに当接する横戸当たりと、
を含み、
前記第１戸当たりの見込方向一側の第１側面と前記第２戸当たりの見込方向一側の第１側面とが、前記横戸当たりの見込方向一側の側面と略面一に形成され、
前記第１戸当たりの前記第２戸当たり側であって前記戸体側である見込方向他側の第１内側端部が、前記第２戸当たりの前記第１戸当たり側であって前記戸体側である見込方向他側の第２内側端部より、閉鎖位置の前記戸体から見込方向に離れた位置に形成され、該第１内側端部に弾性変形可能なクッション材が設けられ、
前記戸体が閉鎖位置にある状態で前記クッション材の一部が見込方向で前記横戸当たりより前記戸体側に位置する枠ユニット。
【請求項２】
前記第１戸当たりの見込方向他側の第２側面には、前記第１戸当たりの長手方向に沿って膨出する突出部が形成される請求項１に記載の枠ユニット。
【請求項３】
前記第１戸当たりの端面が前記横戸当たりに対して縦方向で当接するとともに、前記第２戸当たりの端面が前記横戸当たりに対して縦方向で当接する請求項１又は２に記載の枠ユニット。
【発明の詳細な説明】
【技術分野】
【０００１】
本発明は、開口部に開閉可能に取り付けられる戸体の戸当たりとして適用される枠ユニットに関する。
【背景技術】
【０００２】
従来から、戸体の戸当たり構造において、明かり漏れや戸体を閉めたときの衝撃を抑制するため、戸先側の戸当たりにクッション材を設ける技術が知られている。この種の技術を開示するものとして例えば特許文献１がある。特許文献１は、間口に設けている枠体の桟に取り付けして開閉ドアのストッパーとなる戸当たりにおいて、該戸当たりは概略コ型断面で両側片には脚をストレートに延ばし、各脚の両側面にはノコ歯状の凹凸を形成した戸当たり構造に関するものである。特許文献１には、戸先側の戸当たりの先端に設けられるクッション材が開示されている。
【先行技術文献】
【特許文献】
【０００３】
【特許文献１】特開２０００−２７５３９号公報
【発明の概要】
【発明が解決しようとする課題】
【０００４】
ところで、戸体には材質や環境によって反りが生じる場合がある。戸体の反りが生じた場合、クッション材の復元力が弱ければ戸体とクッション材の間に隙間が生じてしまう。クッション材の復元力を高めることにより、戸体の反りに対するクッション材の追従性を高めることができるものの、復元力を高めると戸体に抗する力も大きくなり、戸体が閉鎖位置に納まり難くなってしまう。場合によっては戸枠の閉鎖位置から戸体が浮き上がってしまうおそれもあった。
【０００５】
本発明は、戸体を閉鎖位置に適切に納めつつ、戸体の反りに対するクッション材の追従性を効果的に向上させることができる枠ユニットの構造を提供することを目的とする。
【課題を解決するための手段】
【０００６】
本発明は、開口部（例えば、後述の開口部２１）に開閉可能に取り付けられる戸体（例えば、後述のドア３）の戸当たりとして適用される枠ユニット（例えば、後述の枠ユニット６）であって、縦方向に延び、閉鎖位置の前記戸体の戸先に見込方向で対面する第１戸当たり（例えば、後述の戸先側戸当たり８０）と、縦方向に延び、前記第１戸当たりに対向配置され、前記戸体の戸先と反対側の部分に見込方向で対面する第２戸当たり（例えば、後述の蝶番側戸当たり７０）と、を含み、前記第１戸当たりの前記第２戸当たり側であって前記戸体側の第１内側端部（例えば、後述の第１内側端部８９）が、前記第２戸当たりの前記第１戸当たり側であって前記戸体側の第２内側端部（例えば、後述の第２内側端部７９）より、閉鎖位置の前記戸体から見込方向に離れた位置に形成され、該第１内側端部に弾性変形可能なクッション材（例えば、後述のパッキン部材８５）が設けられる枠ユニットに関する。
【０００７】
前記枠ユニットは、見付方向の一側の端部が前記第１戸当たりに当接するとともに他側の端部が前記第２戸当たりに当接する横戸当たり（例えば、後述の上戸当たり６１）を更に備え、前記戸体が閉鎖位置にある状態で前記クッション材の一部が見込方向で前記横戸当たりより前記戸体側に位置することが好ましい。
【０００８】
前記第１戸当たりの端面が前記横戸当たりに対して縦方向で当接するとともに、前記第２戸当たりの端面が前記横戸当たりに対して縦方向で当接することが好ましい。
【発明の効果】
【０００９】
本発明によれば、戸体を閉鎖位置に適切に納めつつ、戸体の反りに対するクッション材の追従性を効果的に向上させることができる枠ユニットの構造を実現できる。
【図面の簡単な説明】
【００１０】
【図１】本発明の一実施形態に係る枠ユニット及びドアを示す縦断面図である。
【図２】本実施形態の戸先側戸当たりと上戸当たりの位置関係を示す斜視図である。
【図３】本実施形態の戸先側戸当たりと蝶番側戸当たりの位置関係を示す拡大縦断面図である。
【図４】変形例の戸先側戸当たりと蝶番側戸当たりの位置関係を示す拡大縦断面図である。
【発明を実施するための形態】
【００１１】
以下、本発明の好ましい一実施形態について、図面を参照しながら説明する。図１は、本発明の一実施形態に係る枠ユニット６及びドア３を示す縦断面図である。図２は、本実施形態の戸先側戸当たり８０と上戸当たり６１の位置関係を示す斜視図である。図３は、本実施形態の戸先側戸当たり８０と蝶番側戸当たり７０の位置関係を示す拡大縦断面図である。
【００１２】
まず、枠ユニット６が固定される戸枠２について説明する。戸枠２は、躯体９に形成される開口部９１に固定される枠体である。戸枠２には、一側の空間と他側の空間を連通する矩形の開口部２１が形成されている。
【００１３】
戸枠２の開口部２１を形成する内側面２２に、枠ユニット６を嵌合するための嵌合溝２３が形成される。
【００１４】
戸体としてのドア３は、戸枠２の開口部２１を開閉する木製の開き戸であり、室内ドアである。ドア３は、蝶番７を介して戸枠２に支持されている。蝶番７は、例えば上下に２箇所設けられており、この蝶番７によりドア３が一側を回転軸として回転可能になっている。
【００１５】
本実施形態の枠ユニット６は、開口部２１に開閉可能に取り付けられるドア３の戸当たりとして適用される。次に、枠ユニット６の構成について説明する。本実施形態の枠ユニット６は、上戸当たり６１と、蝶番側戸当たり７０と、戸先側戸当たり８０と、を備える。
【００１６】
上戸当たり６１は、戸枠２上部の内側面に固定される横戸当たりである。図２に示すように、本実施形態の上戸当たり６１は、いわゆる横勝ちの戸当たりであり、上戸当たり６１の戸先側の端面は内側面２２に対面している。
【００１７】
上戸当たり６１における見込方向の一側を向く第１側面６２及び他側を向く第２側面６３は、何れも見付方向に沿って延びる面となっている。なお、ここで言う見込方向は奥行き方向を示す。そして、図１において、見込方向は、紙面における上下方向とし、見込方向の一側を上側、他側を下側として説明する。また、見付方向は見込方向に直交する方向であり、図１の紙面における左右方向として説明する。
【００１８】
蝶番側戸当たり（第２戸当たり）７０は、本体７１と、該本体７１から突出する２つ１組の脚部７４と、を備える縦戸当たりである。
【００１９】
本体７１は、中空部を有する断面形状が矩形状の縦枠である。本実施形態の本体７１は、見込方向の一側（図１の紙面において上側）の第１側面７２が上戸当たり６１の第１側面６２と略面一に形成されるとともに、見込方向の他側（図１の紙面において下側）を向く第２側面７３が上戸当たり６１の第２側面６３と略面一に形成されている。
【００２０】
２つ１組の脚部７４は、本体７１における見付方向の戸先側とは反対側を向く面からそれぞれ突出している。脚部７４は、本体７１の長手方向に沿って壁状に形成されており、嵌合溝２３に対面する面にノコギリ刃状の部分が形成される。１組の脚部７４が嵌合溝２３に嵌め込まれることによって本体７１が戸枠２に固定される。
【００２１】
次に、戸先側戸当たり（第１戸当たり）８０について説明する。戸先側戸当たり８０は、蝶番側戸当たり７０に対向配置される縦戸当たりである。
【００２２】
本実施形態の戸先側戸当たり８０は、本体８１と、２つ１組の脚部８４と、パッキン部材８５と、突出部８６と、を備える。戸先側戸当たり８０は、各構成が一体的に成形される。
【００２３】
本体８１は、中空部を有する断面形状が矩形状の縦枠である。本実施形態の本体８１は、見込方向の一側（図１の紙面において上側）の第１側面８２が上戸当たり６１の第１側面６２と略面一に形成される。
【００２４】
一方、本体８１の見込方向の他側（図１の紙面において下側）の第２側面８３は、戸枠２側から先端側に進むにつれて第１側面８２側に近づくように見付方向に対して傾斜している。そして、図３に示すように、この第２側面８３における見付方向における先端側は、上戸当たり６１の第２側面６３よりも奥まった位置になっている。また、本実施形態では、戸先側戸当たり８０の第２側面８３における戸枠（後端）側についても、上戸当たり６１の第２側面６３よりも奥まった位置になっている。なお、戸先側戸当たり８０と蝶番側戸当たり７０との位置関係については後述する。
【００２５】
２つ１組の脚部８４は、本体８１における見付方向の戸先側を向く面からそれぞれ突出している。脚部８４は、本体８１の長手方向に沿って壁状に形成されており、嵌合溝２３に対面する面に爪状の部分が形成される。本実施形態では、一側の脚部８４ａには爪部が一箇所形成されており、他側の脚部８４ｂには爪部が二箇所形成されている。１組の脚部８４が嵌合溝２３に嵌め込まれることによって本体８１が戸枠２に固定される。
【００２６】
パッキン部材８５は、戸先側戸当たり８０の先端側に設けられるクッション材である。パッキン部材８５は、エラストマー等、弾性変形可能な材料で構成されている。
【００２７】
パッキン部材８５の形状は、断面形状が略Ｃ字状に形成されており、第２側面８３の先端から戸先側に向けて湾曲している。また、本実施形態のパッキン部材８５は戸先側戸当たり８０の長手方向に沿って形成されており、戸先側戸当たり８０の第２側面８３の長手方向の略全域を保護している。
【００２８】
突出部８６は、本体８１の第２側面８３に形成されている。突出部８６は、本体８１の長手方向に沿って膨出している。突出部８６の位置は、パッキン部材８５の形状に応じて設定される。本実施形態では、突出部８６の位置は、第２側面８３における見付方向の略中央に設定されており、閉鎖状態のドア３に接触して弾性変形しているパッキン部材８５の裏側に突出部８６の先端が位置している。
【００２９】
第２側面８３に突出部８６が形成されることにより、ドア３の閉鎖時にパッキン部材８５と第２側面８３が密着した後にパッキン部材８５と本体８１の隙間に空気が入り込んで異音が生じる事態が防止されている。
【００３０】
次に、戸先側戸当たり８０と蝶番側戸当たり７０の位置関係について説明する。なお、図３において、蝶番側戸当たり７０の第２側面７３の先端から見付方向の戸先側に延びる仮想的な直線を仮想直線Ｌ１とする。
【００３１】
戸先側戸当たり８０と蝶番側戸当たり７０は、見付方向で対向している。ここで、戸先側戸当たり８０のドア３の戸先に対面する部分における先端位置を第１内側端部８９とする。また、蝶番側戸当たり７０のドアに対面する部分における先端位置を第２内側端部７９とする。
【００３２】
図３の仮想直線Ｌ１に示すように、第１内側端部８９は、第２内側端部７９よりも見込方向で距離ｄ１だけドア３から離れる奥側になっている。この距離ｄ１は、パッキン部材８５の厚み及び突出部８６の突出量に基づいて設定される。そして、パッキン部材８５は、第１内側端部８９に取り付けられており、パッキン部材８５の始端部についても蝶番側戸当たり７０の第２内側端部７９よりも見込方向の奥側になっている。
【００３３】
パッキン部材８５は、戸先側戸当たり８０の先端から飛び出ており、ドア３に接触していない自然状態において上戸当たり６１よりも手前側に飛び出るようになっている。これにより、ドア３が閉じられたときに、戸先側戸当たり８０だけではなく、上戸当たり６１よりも先にパッキン部材８５がドア３に接触するようになっている。そして、図１に示すように、戸先側戸当たり８０の先端から戸先側に曲がりながら延び出ているパッキン部材８５は、ドア３の閉鎖状態においても、ドア３に接触するように、その厚みや長さ等の形状が設定されている。そして、ドア３の閉鎖時にパッキン部材８５が戸先側戸当たり８０側に押し込まれて弾性変形した状態では、パッキン部材８５のドア３側の部位と上戸当たり６１の第２側面６３が面一になるように構成されている（見込方向の位置が略一致する）。これにより、戸先側戸当たり８０だけにドア３閉鎖時の衝撃が集中せず、上戸当たり６１へも衝撃が分散されるようになっている。衝撃が分散されるので、戸先側戸当たり８０に衝撃が集中して戸先側戸当たり８０が外れてしまう事態も効果的に防止されている。
【００３４】
本実施形態では、距離ｄ１は、パッキン部材８５の厚み及び突出部８６の突出量を合わせた長さよりも短くなるように設定されており、パッキン部材８５の一部が、仮想直線Ｌ１よりも手前に出るようになっている。従って、パッキン部材８５がドア３に奥側に押し込まれた状態でも戸先側戸当たり８０の第２側面８３及び上戸当たり６１の第２側面６３よりも先にパッキン部材８５にドア３が接触し、ドア３が枠ユニット６に接触する際の衝撃が吸収されるようになっている。
【００３５】
以上説明した本実施形態の枠ユニット６によれば、以下の効果を奏する。
即ち、枠ユニット６は、縦方向に延び、閉鎖位置のドア３の戸先に見込方向で対面する戸先側戸当たり８０と、縦方向に延び、戸先側戸当たり８０に対向配置され、ドア３の戸先と反対側の部分に見込方向で対面する蝶番側戸当たり７０と、含む。そして、戸先側戸当たり８０の蝶番側戸当たり７０側であってドア３側の第１内側端部８９が、蝶番側戸当たり７０の戸先側戸当たり８０側であってドア３側の第２内側端部７９より、閉鎖位置のドア３から見込方向に距離ｄ１離れた位置に形成され、該第１内側端部８９に弾性変形可能なパッキン部材８５が設けられる。
【００３６】
これにより、クッション材としてのパッキン部材８５の見込方向の長さを大きく確保してパッキン部材８５のドア３のへの追従性を高めることができる。また、パッキン部材８５が見込方向の奥側に位置するのでのパッキン部材８５の弾性力によってドア３の閉鎖位置での納まりが悪くなる事態を効果的に防止できる。例えば、温度差や湿気等の影響によって反りが生じやすい木製のドアや、縦方向が長い大型のドアのように反りの影響が大きい場合であっても、本発明を適用することにより、ドアと戸当たりの間に隙間が生じる事態を効果的に防止できる。
【００３７】
従来のように、戸先側戸当たりの内側端部の位置と蝶番側戸当たりの内側端部の位置が見込方向で同じ構成の場合、パッキン部材の長さを大きくとるためには、戸先側戸当たり及び蝶番側戸当たりを見込方向の奥側に配置する必要がある。この場合、閉鎖位置のドアと蝶番側戸当たりの隙間が大きくなり、蝶番側で明かり漏れが大きくなってしまう。しかし、本実施形態の構造であれば、パッキン部材８５の見込方向の長さを大きく確保しつつ、蝶番側戸当たり７０とドア３の見込方向の距離を短くすることができるので、ドア３の左右両側で生じる明かり漏れについても効果的に防止できる。
【００３８】
本実施形態の枠ユニット６は、見付方向の一側の端部が戸先側戸当たり８０に当接するとともに他側の端部が蝶番側戸当たり７０に当接する上戸当たり６１を更に備える。そして、ドア３が閉鎖位置にある状態でパッキン部材８５の一部が見込方向で上戸当たり６１よりもドア３側に位置する。
【００３９】
これにより、ドア３が閉鎖したときの衝撃を戸先側戸当たり８０のパッキン部材８５によって吸収することができる。また、本実施形態では、戸先側戸当たり８０の第２側面８３における戸枠２側についても、上戸当たり６１の第２側面６３よりも奥まった位置になっているので、ドア３の閉鎖時にパッキン部材８５が戸先側戸当たり８０側に押し込まれて弾性変形した状態で、パッキン部材８５のドア３側の部位と上戸当たり６１の第２側面６３が略面一になるように設計することができる。これにより、ドア３が枠ユニット６に与える衝撃を戸先側戸当たり８０だけではなく、上戸当たり６１にも分散できるので、戸先側戸当たり８０がドア３の閉鎖時に受けるダメージを効果的に低減することができる。
【００４０】
本実施形態の枠ユニット６は、戸先側戸当たり８０の端面が上戸当たり６１に対して縦方向で当接するとともに、蝶番側戸当たり７０の端面が上戸当たり６１に対して縦方向で当接するように上戸当たり６１が横勝ちになっている。
【００４１】
これにより、戸先側戸当たり８０の端面が上戸当たり６１に当接することになる。戸先側戸当たり８０よりも見込方向のサイズが大きい上戸当たり６１の端面を枠ユニット６よりも幅広な戸枠２で隠すことができる。
【００４２】
更に、本実施形態では、第２側面８３を傾斜させることにより、戸先側戸当たり８０の第１内側端部８９が蝶番側戸当たり７０の第２内側端部７９よりも見込方向で距離ｄ１だけ奥側に位置させている。これにより、第２側面８３における本体８１と戸枠２の接続部分近傍で陰影がつきにくくなり、戸先側戸当たり８０のデザインをシンプルに利用者に見せることが可能となっている。
【００４３】
以上、本発明の好ましい一実施形態について説明したが、本発明は、上述の実施形態に制限されるものではなく、適宜変更が可能である。
【００４４】
次に、図４を参照して戸先側戸当たりの構造が上記実施形態と異なる上記実施形態の変形例について説明する。図４は、変形例の戸先側戸当たり２８０と蝶番側戸当たり７０の位置関係を示す拡大縦断面図である。なお、以下の説明において上記実施形態と同様の構成については同じ符号を付してその説明を省略することがある。例えば、蝶番側戸当たり７０は上記実施形態と同様の構成なのでその説明を省略する。
【００４５】
図４に示すように、変形例の戸先側戸当たり２８０の第２側面２８３は、見付方向に沿って形成されており、第１側面８２及び第２側面２８３が平行な位置関係になっている。
【００４６】
そして、戸先側戸当たり２８０の第２側面２８３は、蝶番側戸当たり７０の第２側面７３より見込方向の奥側に位置している。即ち、戸先側戸当たり２８０の第２側面２８３が、蝶番側戸当たり７０の第２側面７３に対して見込方向の奥側に距離ｄ２だけオフセットされた状態となっている。従って、この変形例の戸先側戸当たり２８０の第１内側端部２８９についても、蝶番側戸当たり７０の第２内側端部７９に対して見込方向で閉鎖位置のドア３から距離ｄ２だけ離れており、パッキン部材８５の見込方向の長さを確保することが可能になっている。
【００４７】
以上説明したように、本発明の実施形態は、事情に応じて適宜変更することができる。例えば、戸先側戸当たりのクッション材としてのパッキン部材を別部品とし、戸先側戸当たりの本体にパッキン部材を取付ける構成とすることもできる。また、パッキン部材の形状についても、上記実施形態の構成に限定されず、事情に応じて適宜変更することができる。
【符号の説明】
【００４８】
６  枠ユニット
２１  開口部
６１  上戸当たり（横戸当たり）
７０  蝶番側戸当たり（第２戸当たり）
７９  第２内側端部
８０  戸先側戸当たり（第１戸当たり）
８５  パッキン部材（クッション材）
８９  第１内側端部
【図１】
0006649029.tif 000002
【図２】
0006649029.tif 000003
【図３】
0006649029.tif 000004
【図４】
0006649029.tif 000005